(57)【要約】  本発明は、データ伝送システムの送信側の通信装置であって、送信データをパラレルデータに変換して複数のデータ列を生成し、また複数のデータ列に基づいて、誤り訂正を行うための冗長データ列を生成し、さらに、複数のデータ列および冗長データ列の各々に対して伝送エラーを検出するための伝送エラー検出用情報を付与して複数の送信信号を生成する送信信号生成部１０と、複数の送信信号と同数の送信デバイスからなり、各送信デバイスは複数の送信信号の中のいずれか一つを無線伝送する送信部１１と、を備える。
2010137507.tif 000002
【特許請求の範囲】
【請求項１】
データ伝送システムの送信側の通信装置であって、
送信データをパラレルデータに変換して複数のデータ列を生成し、また当該複数のデータ列に基づいて、受信側で誤り訂正を行うための冗長データ列を生成し、さらに、当該複数のデータ列および当該冗長データ列の各々に対して受信側で伝送エラーを検出するための伝送エラー検出用情報を付与して複数の送信信号を生成する送信信号生成手段と、
前記複数の送信信号と同数の送信デバイスからなり、当該各送信デバイスは前記複数の送信信号の中のいずれか一つを無線伝送する送信手段と、
を備えることを特徴とする通信装置。
【請求項２】
前記送信信号生成手段は、前記複数のデータ列を生成する際、送信データを、前記送信デバイスの数、および伝送路における伝送エラーの発生率に応じた数のデータ列に変換することを特徴とする請求項１に記載の通信装置。
【請求項３】
前記伝送エラー検出用情報をＣＲＣとすることを特徴とする請求項１または２に記載の通信装置。
【請求項４】
前記伝送エラー検出用情報を受信側で既知の固定パターンのビット列とすることを特徴とする請求項１または２に記載の通信装置。
【請求項５】
前記送信データをビデオデータとし、
前記送信信号生成手段は、前記複数の送信信号のうち、ビデオデータの無効領域に対応する部分に対し、ビデオデータ再生におけるフレーム同期処理で使用する信号を受信側で復元するための補助情報を配置する
ことを特徴とする請求項１〜４のいずれか一つに記載の通信装置。
【請求項６】
前記各送信デバイスは、ＬＥＤまたはＬＤにて発光した光を利用して前記複数の送信信号を伝送することを特徴とする請求項１〜５のいずれか一つに記載の通信装置。
【請求項７】
前記各送信デバイスは、ＭＩＭＯ技術を利用して前記複数の送信信号を伝送することを特徴とする請求項１〜５のいずれか一つに記載の通信装置。
【請求項８】
前記各送信デバイスは、それぞれ異なる周波数を使用して前記複数の送信信号を伝送することを特徴とする請求項１〜５のいずれか一つに記載の通信装置。
【請求項９】
前記各送信デバイスは、ＣＤＭＡ技術を用いて使用して前記複数の送信信号を伝送することを特徴とする請求項１〜５のいずれか一つに記載の通信装置。
【請求項１０】
請求項１〜８のいずれか一つに記載の通信装置から送信された信号を受信する通信装置であって、
ビットタイミング再生処理でのサンプリング結果に基づき、送信側の通信装置から送信された複数の送信信号の各々について伝送エラーが発生したかどうかを判定する
ことを特徴とする通信装置。
【請求項１１】
ビデオデータに基づいて生成された信号を受信した場合、ビデオデータの無効領域に対応する部分に配置された補助情報に基づいて、フレーム同期処理で使用する情報を復元することを特徴とする請求項１０に記載の通信装置。
【発明の詳細な説明】
【技術分野】
【０００１】
本発明は、リアルタイム性が要求されるデータ伝送を無線伝送路上で行う通信装置に関する。
【背景技術】
【０００２】
近年、広帯域な動画像信号を伝送するための標準規格の策定作業が、ＳＭＰＴＥ（Society  of  Motion  Picture  and  Television  Engineers）を中心として、日本や欧米にて盛んに行われている。例えば、下記非特許文献１では、ＮＴＳＣ（National  Television  System  Committee）方式やＰＡＬ（Phase  Alternating  Line）方式といったテレビ放送で用いられるサイズの４：２：２コンポーネントデジタルパラレルインターフェースとして、輝度信号Ｙと、色差信号ＣＢ，ＣＲとをデジタルバスに束ねる事を規定している。束ねられた信号を２７ＭＨｚでサンプリングする場合、例えば１０ｂｉｔで階調を定義していのであれば、２７０Ｍｂｐｓの信号となる（日本のテレビ放送の場合）。【０００３】
ＮＴＳＣの映像信号（Video信号）には、受信側で画面の水平と垂直を定義出来るように、フレーム同期用のタイミング信号としてＳＡＶ（Start  of  Active  Video  data）およびＥＡＶ（End  of  Active  Video  data）が埋め込まれている。これらのＳＡＶおよびＥＡＶは垂直方向同期のために、ライン番号に応じて値が変わるようになっている。【０００４】
また、上記のような映像信号を効率良く伝送させるためのシリアルデジタルインターフェースが下記非特許文献２で規格化されており、ＳＤ−ＳＤＩ（Standard  Definition  Serial  Digital  Interface）と呼ばれている。現在は、テレビ放送のハイビジョン化に伴い、約１．５Ｇｂｐｓの伝送帯域を持ったＨＤ−ＳＤＩ（High  Definition  ＳＤＩ），約３Ｇｂｐｓの伝送帯域を持った３Ｇ−ＳＤＩが、下記非特許文献３，４でそれぞれ企画化されている。【０００５】
また、下記非特許文献５には、ＳＤＩ伝送を少ない配線数で実現する手法について記載されている。
【先行技術文献】
【非特許文献】
【０００６】
【非特許文献１】ＡＮＳＩ／ＳＭＰＴＥ１２５Ｍ−１９９５
【非特許文献２】ＡＮＳＩ／ＳＭＰＴＥ２５９Ｍ−１９９７
【非特許文献３】ＡＮＳＩ／ＳＭＰＴＥ２９２Ｍ−１９９８
【非特許文献４】ＡＮＳＩ／ＳＭＰＴＥ４２４Ｍ−２００６
【非特許文献５】「Design  Wave  Magazine  2008年1月号」  ＣＱ出版社
【発明の概要】
【発明が解決しようとする課題】
【０００７】
上記従来の技術（非特許文献５に記載の技術）は、メタルケーブルや光ファイバーケーブルを用いることにより、通信誤りがほとんど無いことを前提として実現したものであるため、通信誤りが頻繁に発生することを前提として通信制御を行う無線通信に対しては適用できない、という問題があった。近年は、伝送ケーブルの引き回しが困難な場所への配線の要望や、引き回しに対しての物理的なコストや配線時の設置コスト低減などの目的から、広帯域な動画像信号を低遅延かつ低コストで伝送できる無線通信システムの実現が強く期待されている。【０００８】
本発明は、上記に鑑みてなされたものであって、大容量データを無線伝送路経由で低遅延伝送することができる通信装置を得ることを目的とする。
【課題を解決するための手段】
【０００９】
上述した課題を解決し、目的を達成するために、本発明は、データ伝送システムの送信側の通信装置であって、送信データをパラレルデータに変換して複数のデータ列を生成し、また当該複数のデータ列に基づいて、受信側で誤り訂正を行うための冗長データ列を生成し、さらに、当該複数のデータ列および当該冗長データ列の各々に対して受信側で伝送エラーを検出するための伝送エラー検出用情報を付与して複数の送信信号を生成する送信信号生成手段と、前記複数の送信信号と同数の送信デバイスからなり、当該各送信デバイスは前記複数の送信信号の中のいずれか一つを無線伝送する送信手段と、を備えることを特徴とする。
【発明の効果】
【００１０】
本発明によれば、無線伝送路を介した通信装置間において、大容量データの低遅延伝送を実現できる、という効果を奏する。
【図面の簡単な説明】
【００１１】
【図１】図１は、データ伝送システムにおける送信側の通信装置の構成例を示す図である。
【図２】図２は、伝送路符号化処理の対象とするビデオデータの構成例を示す図である。
【図３】図３は、伝送路符号化処理を実施して得られた信号の一例を示す図である。
【図４】図４は、送信信号生成部への入力信号のうち、ビデオデータ、パラレルクロックおよびタイミング信号（水平同期信号）の時間軸上における対応関係を示した図である。
【図５】図５は、１０対３のパラレルパラレル変換を実施した後のデータを示す図である。
【図６】図６は、無効期間に同期用の信号（特定固定パターン）を設定した後のデータ構成を示す図である。
【図７】図７は、送信デバイスの構成例を示す図である。
【図８】図８は、データ伝送システムにおける受信側の通信装置の構成例を示す図である。
【図９】図９は、一般的なＢＴＲ処理の一例を示した図である。
【図１０】図１０は、受信デバイスの構成例を示す図である。
【発明を実施するための形態】
【００１２】
以下に、本発明にかかる通信装置の実施の形態を図面に基づいて詳細に説明する。なお、この実施の形態によりこの発明が限定されるものではない。
【００１３】
実施の形態．
まず、データ伝送システムにおける送信側の通信装置について説明する。図１は、データ伝送システムにおける送信側の通信装置の構成例を示す図である。なお、送信動作に関連する構成要素のみを示している。
【００１４】
図１に示した通信装置は、送信信号生成部１０および送信部１１を備える。送信信号生成部１０は、図示した入力信号（ビデオデータ，パラレルクロック，タイミング信号，補助データ）を利用して送信信号を生成し、パラレルクロックとともにパラレルデータとして出力する。送信部１１は複数の送信デバイスからなり、各送信デバイスは、送信信号生成部１０からパラレルに出力された送信信号のいずれか一つを受け取り、所定の送信処理を実行して対向する通信装置（受信側の通信装置）へ空間伝送する。なお、一部の送信デバイスは、受信側で誤り訂正を実施するための冗長データに基づき生成された送信信号を空間伝送する。すなわち、送信デバイスには、実データを伝送するための送信デバイス（以下、必要に応じて第１の送信デバイスと呼んで区別する）と冗長データを伝送するための送信デバイス（以下、必要に応じて第２の送信デバイスと呼ぶ）が含まれている。第１の送信デバイスと第２の送信デバイスの割合は、使用する伝送路における伝送エラーの発生率やシステムで要求される伝送品質などを考慮して決定される。
【００１５】
つづいて、送信信号生成部１０および送信部１１の動作について詳しく説明する。まず、送信信号生成部１０では、入力されたビデオデータに対して、パラレルパラレル変換，タイミング情報付加，同期パターン付加，伝送路符号化，ＣＲＣ付加，スクランブル、の各処理を順番に実施する。
【００１６】
パラレルパラレル変換処理では、パラレルデータである入力ビデオデータを、送信部１１が備えている送信デバイスの数に応じたパラレルデータに変換する。具体的には、実データを伝送するための送信デバイスの数（第１の送信デバイスの数）と同じ並列数のパラレルデータ（複数のデータ列）に変換する。
【００１７】
タイミング情報付加処理では、通常のビデオデータに含まれている、画面を構成する際の垂直方向と水平方向のタイミング情報（ＳＡＶ，ＥＡＶ）、と同じ目的の情報（代替タイミング情報）を、上記のパラレルパラレル変換処理を実施して得られた複数のデータ列それぞれに対して付加する。付加する情報および付加方法については後述する。
【００１８】
同期パターン付加処理では、各送信デバイスから送信した信号の受信側が通信データとしてのタイミング同期を行う際に使用する同期パターン（受信側で既知の固定ビット列）を、上記代替タイミング情報が付加された後の各データ列に対して付加する。上述した従来のＳＤＩ伝送時は、１つの同期パターンを使用していたが、本実施の形態のデータ伝送システムでは、受信側の通信装置がデータ列ごとにタイミング同期を行えるように、各データ列に対して同期パターンを付加する。
【００１９】
伝送路符号化処理では、上記の同期パターンを付加した後の各データ列を符号化する。このとき、遮蔽や機器の故障などにより一部の信号が空間伝送時にエラーとなった場合を考慮し、伝送エラーとなった信号を受信側で復元するための冗長データを生成してこれも符号化する。符号化処理の具体的な方法については後述する。
【００２０】
ＣＲＣ付加処理では、上記の伝送路符号化処理を実施して得られた複数の符号語系列のそれぞれに対して、データを正常に受信したかどうかを受信側で確認するための誤り検出符号（ＣＲＣ）を付加する。
【００２１】
スクランブル処理では、上記のＣＲＣ付加処理が実施された後の各符号語系列のそれぞれについて、ランダム化を行う。このランダム化処理は、空間伝送される際のデータにおいて、値が０のビットと値が１のビットの割合が均等となるようにビットを並び替える処理であり、受信側でのビット同期やフレームタイミング同期、および伝送路状態検出が容易となるようにする目的で実施する。
【００２２】
ここで、伝送路符号化処理の詳細について説明する。一例として、５本の伝送路が使用可能で、かつ５本のうち４本では誤りなく空間伝送が行える環境での伝送路符号化処理について示す。このような環境では、送信側の通信装置は、５系統の送信デバイスを使用し、そのうちの４系統で実データを伝送し、また残りの１系統で冗長データを伝送する。この場合、伝送路符号化処理では、図２に示した構成のデータを対象として伝送路符号化処理を実施する。図２においては、ビデオデータ（実データ）を４ｂｉｔ値としている。Ｘkはｋ番目のビデオデータを示し、またＸmは１ビデオデータ内のｍ番目のビットを示す。
【００２３】
図３は、伝送路符号化処理を実施して得られた信号の一例を示す図であり、図示したように、この伝送路符号化処理では、４ビットのビデオデータそれぞれに対して冗長データ（冗長ビット）Ｙを付加して符号語を生成する。Ｙkはｋ番目のビデオデータに付加する冗長データ（ｋ番目の冗長データ）を示し、Ｙnは冗長データ内のｎ番目のビットを示す（この例ではｎ＝１の固定値となっている）。また、冗長データは次式（１）に従って算出する。なお、式（１）において、“＾”は排他的論理和（ＸＯＲ）を示す。
【００２４】
【数１】
2010137507.tif 000003
【００２５】
従って、受信側では、使用可能な５本の伝送路のうちの４本を用いて同時に伝送されたビデオデータ４ビットの内、どの１ビットが受信出来なくても、冗長データＹを用いて元のビデオデータ（同時に伝送された４ビットの情報）を再生（復元）できる。たとえば、ｋ番目のビデオデータの中の１番目のビットが伝送エラーとなった場合には、次式（２）で示した処理を実行すれば復元できる。受信側の通信装置が伝送エラーとなったビットを判別する方法については、受信側の動作説明にて示す。
【００２６】
【数２】
2010137507.tif 000004
【００２７】
次に、タイミング情報付加処理の詳細について説明する。一例として、送信信号生成部１０への入力となるビデオデータが１０ビット値であり、このビデオデータを送信部１１に含まれる送信デバイスの数に応じてパラレル伝送する場合の動作例について示す。なお、送信部１１を構成している送信デバイスは３系統あり、最大１系統で伝送誤りが生じる可能性がある環境で伝送を行うものとする。すなわち、２系統で実データを伝送し、また、残りの１系統で冗長データを伝送するものとする。
【００２８】
図４は、送信信号生成部１０への入力信号のうち、ビデオデータ、パラレルクロック（図４ではクロックと記載している）およびタイミング信号（水平同期信号）の時間軸上における対応関係を示した図である。なお、タイミング信号には図示した水平同期信号の他に垂直同期信号も含まれるが、ここでの説明に必要な水平同期信号のみを示している。また、描画のためのクロックを２７ＭＨｚとする。したがって、ビデオデータとしての信号帯域は２７０Ｍｂｐｓとなる。ビデオデータの受信側では、一般に同期信号を合図として描画を行う。ビデオデータには、一定の幅で表示しない無効区間が含まれる。図４においては、Ｘk（k=1,2,3,4）の４クロック間を無効区間とし、ビデオデータとしては不要な信号とする。
【００２９】
また、送信部１１を構成している送信デバイスは３系統あり、最大１系統で伝送誤りが生じる可能性がある状態で伝送を行う場合の動作について示す。この場合、どの２系統であっても２７０Ｍｂｐｓの信号帯域を達成可能なように、空間伝送上は各送信デバイスが１３５Ｍｂｐｓの伝送を行う。
【００３０】
したがって、送信信号生成部１０は、まず、単純な５対１のパラレルシリアル変換処理（入力された１０ビットパラレルのビデオデータを、実データの伝送で使用する伝送路の数に対応させた２ビットパラレルのビデオデータに変換する処理）を実行し、さらに、２系統のビデオデータに対して、タイミング情報および同期パターンを付加した後、上述した伝送路符号化処理を実施して２系統のデータを３系統のデータ（実データ２系統＋冗長データ１系統）へ拡張することにより、１０対３のパラレルパラレル変換を行う。この変換を実施した後のデータを図５に示す。図示したように、図４（変換前）では１クロック幅であった水平同期信号は５クロック幅に延びた形となる。またビデオデータとしては、変換前の５倍の２０クロック間が無効区間になる。ここで、送信信号生成部１０は、タイミング情報として、この２０クロック間の無効区間に同期用の信号を設定する（図６参照）。図６は、上記無効期間に同期用の信号（特定固定パターン）を設定した後のデータ構成を示す図である。タイミング情報である特定固定パターンは、系統ごとに固有かつ受信側で既知のビット列とする。また送信信号生成部１０は、併走する水平同期信号については除去する。水平同期信号を除去しても、受信側では系統ごとの特定固有パターンを見つける事により、水平同期信号を自分で作り出す（復元する）ことが可能である。
【００３１】
最後に、送信部１１を構成している送信デバイスについての説明を行う。図７は送信デバイスの構成例を示す図であり、図示した送信デバイスは、レベル変換部１２、発光部１３およびレンズ１４を備える。レベル変換部１２では、入力された電気信号が所望の信号レベルとなるように変換を行い、このレベル変換実施後の信号に応じて、発行部１３は、ＬＥＤまたはＬＤ（Laser  Diode）を発光させる。レンズ１４は、発光部１３からの光を集光して送信する。なお、距離によって、レンズは不要である。ここで光を例示したのは、空間に複数の信号を多重するための一例を示しており、送信デバイスは、光を利用するのではなく、異なる周波数を用いて信号を多重するようにしてもよい、また、同じ周波数を用いた場合でもコード拡散を変えるＣＤＭＡを用いたり、アンテナで多重するＭＩＭＯを用いたり、直進性の高いミリ波通信や波長の異なる光通信のようなものをそれぞれ用いても良い。
【００３２】
つづいて、データ伝送システムの受信側の通信装置について説明する。図８は、本発明にかかるデータ伝送システムにおける受信側の通信装置の構成例を示す図である。なお、受信動作に関連する構成要素のみを示している。
【００３３】
図８に示した通信装置は、受信部２０および信号再生部２１を備える。受信部２０は複数の受信デバイスからなり、各受信デバイスは、対向する送信側の通信装置から空間多重伝送された複数の信号の中のいずれか一つを受け取り、所定の受信処理を実行した後、信号再生部２１へ出力する。信号再生部２１は、受信部２０からの入力信号に基づいて、送信側の通信装置から送信されたデータを再生（復元）する。なお、受信部２０からパラレルに入力された信号のうち実データの一部が正しく受信できなかったことを検出すると、これと同時に入力された冗長データを用いて、伝送エラーとなったデータを復元する。
【００３４】
信号再生部２１の動作について詳しく説明する。信号再生部２１は、入力されたパラレルデータに対して、ＢＴＲ（Bit  Timing  Recovery），伝送路状態検出，デスクランブル，ＣＲＣチェック，伝送路復号，周波数タイミング同期，フレームタイミング同期，パラレルパラレル変換、の各処理を順番に実施する。
【００３５】
ＢＴＲ処理（ビットタイミング再生処理）では、受信信号に基づいて送信側の通信装置との間の周波数偏差を抽出し、信号処理の実行タイミング（ビット判定の実行タイミング）を適切なタイミングに調整する。また、信号再生部２１は、このＢＴＲ処理の結果を利用して送信デバイスと受信デバイスとの間の各伝送品質（伝送路ごとの伝送品質）を調べる。図９は、一般的なＢＴＲ処理の一例を示した図である。ＢＴＲ処理では、送信信号に対してオーバーサンプリングを実施する。図９では、２５Ｍｂｐｓの送信信号を４倍でオーバーサンプリングした場合の例を示している。ＢＴＲ処理では、オーバーサンプリングを実行して取得した各サンプリング値に対して、オーバーサンプリング値の整数倍（図９の例では４の整数倍）で移動平均を実行し、ビット周期で相関値を作る。そして、相関値の高い所（または低い所）をビットの切り替えタイミングとして検出することにより、送信クロックを再生する。ここで、信号が受信できない場合は、この相関値の高い（または低い）所が得られない事になり、そのデバイス間では何らかの要因により伝送エラーが発生したこととなる。したがって、このような場合、受信側の通信装置は、この伝送路からの信号（データ）を使用せずに信号再生を行うようにする。すなわち、伝送エラーとなったデータを、正常に受信したデータおよび冗長データに基づいて復元し、この復元したデータと正常に受信したデータを用いて信号生成を行う。
【００３６】
伝送路状態検出処理では、伝送路（送信デバイスとこれに対応する受信デバイスとの間の伝送路）の状態を検出し、各伝送路で伝送されてきた信号の信頼性、すなわち伝送エラーが発生していないかどうか判断する。また、この処理では、伝送路の状態を検出するだけでなく、例えば受信デバイスの電源や部品異常状態を監視すること、送信側から定期的に固定パターン（受信側で既知の固定パターン）を送信する場合には、固定パターン検出を行う事により信頼性の低い信号線を検出すること、送信側から同じタイミングで送信信号を送る場合には、受信デバイスから出力される信号パターンを同時に観測すること（検出信号が上がらない信号線路を検出すること）、などにより、仮定した範囲内での誤りを検出可能である。
【００３７】
デスクランブル処理では、送信側の通信装置（送信信号生成部１０，図１参照）で実施されたスクランブル処理と逆の処理を実行し、ビット列を元の並び順に戻す。
【００３８】
ＣＲＣチェック処理では、各デバイス間の伝送品質を確認する。これは、受信データから通信品質の高いデバイス間のデータを取捨選択し、ビデオデータを再生する際の信頼性向上に用いるために実装するものである。実装としては、空間伝送単位でＣＲＣ付加を行われたものに対してチェックを行う。
【００３９】
伝送路復号処理では、伝送路状態検出処理で検出した信頼性のある信号データに対して復号処理を実行し、送信ビデオデータを再生する。
【００４０】
周波数タイミング同期処理では、伝送路復号処理で再生した送信ビデオデータを自身（受信側の通信装置）が有している内部クロックに同期させる。
【００４１】
フレームタイミング同期処理では、ビデオデータの水平、垂直同期信号に合わせて出力を行う。この処理では、送信側のタイミング情報付加処理で付加されたタイミング情報を利用する。
【００４２】
パラレルパラレル変換処理では、送信側で実施されたパラレルパラレル変換処理と逆の処理を実施し、送信前の状態（送信側の送信信号生成部１０に入力される前のビデオデータ）に戻す。
【００４３】
次に、受信部２０を構成している受信デバイスについての説明を行う。図１０は、受信デバイスの構成例を示す図であり、図７に示した送信デバイスに対応した構成例を示している。この受信デバイスは、レンズ２２、フォトダイオード２３、トランスインピーダンスアンプ２４、比較部２５およびレベル変換部２６を備える。
【００４４】
レンズ２２は、到来した光信号を集光する。フォトダイオード２３は、レンズ２２で集光された光を電気信号に変換し、トランスインピーダンスアンプ２４は、フォトダイオード２３から出力された電気信号である電流信号を電圧信号に変換する。比較部２５は、トランスインピーダンスアンプ２４から出力された電圧信号を判定して０と１の信号に変換する。レベル変換部２６では、比較部２５から出力された信号のレベルを調整する。なお、送信側の通信装置との距離によって、レンズは不要である。また、トランスインピーダンスアンプ２４と比較部２５を用いずに、同様の処理を実行する増幅器を備えるように構成してもよい。受信側で備えているそれぞれの受信デバイスで分離可能な方式であれば良いため、無線通信を用いる場合には、送信側が備えている送信デバイスでそれぞれ実行された変調処理に対応する復調処理を行い、信号を再生する。
【００４５】
このように、本実施の形態のデータ伝送システムでは、送信側および受信側双方の通信装置が複数の送受信手段（送信デバイス，受信デバイス）を備え、複数のデバイスのうち、無線区間で想定される伝送品質に応じた数のデバイスを用いて、伝送エラーとなった信号を受信側で誤り訂正するための冗長データを伝送することとした。これにより、伝送エラーが頻繁に発生するが想定される無線伝送路において、大容量データの低遅延伝送を実現できる。
【産業上の利用可能性】
【００４６】
以上のように、本発明は、大容量データの低遅延伝送を実現する場合に有用であり、特に、無線伝送路における低遅延伝送を実現するデータ伝送システムの送信側の通信装置に適している。
【符号の説明】
【００４７】
１０  送信信号生成部
１１  送信部
１２  レベル変換部
１３  発光部
１４，２２  レンズ
２０  受信部
２１  信号再生部
２３  フォトダイオード
２４  トランスインピーダンスアンプ
２５  比較部
２６  レベル変換部
【図１】
2010137507.tif 000005
【図２】
2010137507.tif 000006
【図３】
2010137507.tif 000007
【図４】
2010137507.tif 000008
【図５】
2010137507.tif 000009
【図６】
2010137507.tif 000010
【図７】
2010137507.tif 000011
【図８】
2010137507.tif 000012
【図９】
2010137507.tif 000013
【図１０】
2010137507.tif 000014
【手続補正書】
【提出日】平成22年10月15日(2010.10.15)
【手続補正１】
【補正対象書類名】特許請求の範囲
【補正対象項目名】全文
【補正方法】変更
【補正の内容】
【特許請求の範囲】
【請求項１】
データ伝送システムの送信側の通信装置であって、
送信データをパラレルデータに変換して複数のデータ列を生成し、また当該複数のデータ列に基づいて、受信側で誤り訂正を行うための冗長データ列を生成し、さらに、当該複数のデータ列および当該冗長データ列の各々に対して受信側で伝送エラーを検出するための伝送エラー検出用情報を付与して複数の送信信号を生成する送信信号生成手段と、
前記複数の送信信号と同数の送信デバイスからなり、当該各送信デバイスは前記複数の送信信号の中のいずれか一つを無線伝送する送信手段と、
を備え、
前記送信信号生成手段は、前記複数のデータ列を生成する際、送信データを、前記送信デバイスの数、および伝送路における伝送エラーの発生率に応じた数のデータ列に変換することを特徴とする通信装置。
【請求項２】
（削除）
【請求項３】
（削除）
【請求項４】
前記伝送エラー検出用情報を受信側で既知の固定パターンのビット列とすることを特徴とする請求項１に記載の通信装置。
【請求項５】
前記送信データをビデオデータとし、
前記送信信号生成手段は、前記複数の送信信号のうち、ビデオデータの無効領域に対応する部分に対し、ビデオデータ再生におけるフレーム同期処理で使用する信号を受信側で復元するための補助情報を配置する
ことを特徴とする請求項１または４に記載の通信装置。
【請求項６】
前記各送信デバイスは、ＬＥＤまたはＬＤにて発光した光を利用して前記複数の送信信号を伝送することを特徴とする請求項１、４または５に記載の通信装置。
【請求項７】
前記各送信デバイスは、ＭＩＭＯ技術を利用して前記複数の送信信号を伝送することを特徴とする請求項１、４または５に記載の通信装置。
【請求項８】
前記各送信デバイスは、それぞれ異なる周波数を使用して前記複数の送信信号を伝送することを特徴とする請求項１、４または５に記載の通信装置。
【請求項９】
前記各送信デバイスは、ＣＤＭＡ技術を用いて使用して前記複数の送信信号を伝送することを特徴とする請求項１、４または５に記載の通信装置。
【請求項１０】
請求項１、４、５〜９のいずれか一つに記載の通信装置から送信された信号を受信する通信装置であって、
ビットタイミング再生処理でのサンプリング結果に基づき、送信側の通信装置から送信された複数の送信信号の各々について伝送エラーが発生したかどうかを判定する
ことを特徴とする通信装置。
【請求項１１】
ビデオデータに基づいて生成された信号を受信した場合、ビデオデータの無効領域に対応する部分に配置された補助情報に基づいて、フレーム同期処理で使用する情報を復元することを特徴とする請求項１０に記載の通信装置。
【国際調査報告】
2010137507.tif 000015
2010137507.tif 000016
2010137507.tif 000017
2010137507.tif 000018